(57)【要約】【課題】  送水元側からの水の送水は送水先側に送水されるが送水先側からの水の逆流を防ぐことができ、しかも、部品点数が少なくて構造が簡単であり、コストダウンを図ることができる逆止弁機能付き連結送水管用バルブを提供する。【解決手段】  流体入口と流体出口を備えた弁箱１と、この弁箱１内の流体通路に設けられた弁座２と、この弁座２に当、離座可能に設けた弁体３と、この弁体３を弁座２側に向けて付勢するスプリング６と、弁体３を弁座２に対して押圧するための弁シャフト４と、この弁シャフト４の上端に設けられて弁シャフト４を上下移動するためのバルブハンドル５とを備えたものである。【選択図】  図２
2005147214.tif 000002
【特許請求の範囲】
【請求項１】
流体入口と流体出口を備えた弁箱と、この弁箱内の流体通路部分に設けられた弁座と、この弁座に当、離座可能に設けた弁体と、この弁体を前記弁座側に向けて付勢するスプリングと、前記弁体を弁座に対して押圧するための弁シャフトと、この弁シャフトの上端に設けられて弁シャフトを上下移動するためのバルブハンドルとを備えた逆止弁機能付き連結送水管用バルブ。
【請求項２】
前記弁箱には、その流体入口側に第１排水弁が設けられ、その流体出口側に第２排水弁が設けられている請求項１に記載の逆止弁機能付き連結送水管用バルブ。
【請求項３】
前記弁箱の流体入口側と流体出口側との間に四方弁が設けられている請求項１に記載の逆止弁機能付き連結送水管用バルブ。
【請求項４】
前記弁体は、前記弁シャフトに対してスライド可能に設けられている請求項１乃至３のいずれかに記載の逆止弁機能付き連結送水管用バルブ。
【発明の詳細な説明】
【技術分野】
【０００１】
本発明は、逆止弁と制水弁とを一体化した逆止弁機能付き連結送水管用バルブに関するものである。
【背景技術】
【０００２】
図８は従来の連結送水管の制水機構部を示すものであり、当該制水機構部は、送水用配管系の所定箇所に介設される弁ユニット機構部１０１と、この弁ユニット機構部１０１の収容ケース１０２とを備えている。また、前記弁ユニット機構部１０１は、送水元側への水の逆流を阻止する逆止弁ユニット１０９と、両端部に連結用フランジを有する送水短管の側部に排水弁１２１が設けられ、逆止弁ユニット１０９の送水元側に配置された排水弁ユニット１１０と、両端部に連結用フランジを有する送水短管の一側部に排水部１２９が設けられ、逆止弁ユニット１０９の送水元側に配置された排水ユニット１１１とを備えている。更に、前記排水弁ユニット１１０と排水ユニット１１１とはそれらの間に逆止弁ユニット１０９を介在させ、各々のフランジの連結部材を介して連結されている。尚、前記ケース本体の両側面には、弁ユニット機構部１０１の配管の挿通部が形成されており、また、ケース本体の上端開口部は蓋体１０３により開閉自在に施蓋されている。（例えば、特許文献１参照）。
ところが、図８に示した構成の制水機構部においては、部品点数が多くて構造が複雑でコスト高となり、また、収容ケース内に各部品を収容するのに手間がかかるという問題があった。
【０００３】
【特許文献１】特許第３００７０４５号公報
【発明の開示】
【発明が解決しようとする課題】
【０００４】
本発明は、上記した従来の問題に鑑みてなされたものであり、送水元側からの送水は送水先側へ送水されるが、送水先側からの水の逆流は完全にを防ぐことができ、しかも、部品点数が少なくて構造が簡単であり、コストダウンを図ることができるようにした逆止弁機能付き連結送水管用バルブを提供することを目的としている。
【課題を解決するための手段】
【０００５】
本発明は、上記課題を解決するために提案されたものであって、請求項１に記載の発明は、流体入口側と流体出口側を備えた弁箱と、この弁箱内の流体通路に設けられた弁座と、この弁座に当、離座可能に設けられた弁体と、この弁体を前記弁座側に向けて付勢するスプリングと、前記弁体を弁座に対して押圧するための弁シャフトと、この弁シャフトの上端に設けられて弁シャフトを上下移動するためのバルブハンドルとを備えたものである。
即ち、バルブハンドルを常時開放しておくと、流体入口側からの水圧によって、スプリングの付勢力に抗して弁体が開き、弁箱の流体出口側へ送水されるが、流体出口側からの水の逆流は、その水圧によって、弁体がスプリングの付勢力ともあいまって弁座へ当座することにより、防止される。
【０００６】
請求項２に記載の発明は、前記弁箱には、その流体入口側に第１排水弁が設けられ、その流体出口側に第２排水弁が設けられているものである。
即ち、流体入口側の水を排水するときには、第１排水弁を開状態にすることによって排水でき、流体出口側の水を排水するときには、第２排水弁を開状態にすることによって排水することができる。
【０００７】
請求項３に記載の発明は、前記弁箱の流体入口側と流体出口側との間に四方弁が設けられているものである。
即ち、流体入口側又は流体出口側の水を排水するときには、四方弁によっていずれの側の水でも排水することができる。
【０００８】
請求項４に記載の発明は、前記弁体が、前記弁シャフトに対してスライド可能に設けられているものである。
即ち、弁体が弁シャフトにスライド可能に設けられているので、バルブハンドルを常時開放していても、流体入口側から流体出口側への水は、弁体が弁座に対して開くので送水でき、流体出口側からの水の逆流は、弁体が弁座に接して閉状態となることによって、防止されることになる。
【発明の効果】
【０００９】
請求項１に記載の発明によれば、送水と水の逆流防止と水の制水とを一つのバルブによって行える。また、各部分が殆ど一体化されているので、部品点数が少なくて構造が簡単となり、コストダウンを図ることができる。更に、弁シャフトを常時開放しておくだけで、送水時には弁体が開き、水が逆流した時には弁体が弁座に当接して水の逆流を防ぐので、操作を簡単化することができる。
【００１０】
請求項２に記載の発明によれば、第１、第２の排水弁を設けたことによって、流体入口側の排水を簡単に行うことができるとともに、流体出口側の排水も簡単に行うことができる。
【００１１】
請求項３に記載の発明によれば、四方弁を設けたことによって、排水弁を流体入口側と流体出口側の２箇所に設ける必要がなく、一つの四方弁で、流体入口側の排水を簡単に行うことができるとともに、流体出口側の排水も簡単に行うことができる。
【００１２】
請求項４に記載の発明によれば、弁体が弁シャフトにガイドされてスライドするため、弁体の作動が極めて円滑となる。
【発明を実施するための最良の形態】
【００１３】
以下、本発明に係る逆止弁機能付き連結送水管バルブの実施の形態について、図を参照しつつ説明する。
図１は第１実施形態に係る逆止弁機能付き連結送水管バルブを示す斜視図、図２はその本体部分の縦断面図である。
【００１４】
図１、図２において、１は弁箱、２は弁座、３は弁体、４は弁シャフト、５はバルブハンドル、６はスプリング、７は流体入口側の第１排水弁、８は流体出口側の第２排水弁、９は流体入口側のフランジ、１０は流体出口側のフランジ、９ａは流体入口、１０ａは流体出口である。
【００１５】
弁箱１はほぼ管状の形状をなしており、その両端にはフランジ９、１０が一体に設けられている。この弁箱１の流体通路の中途には、斜め向きに弁座２が形成され、この弁座２には弁体３が当、離可能に配設されている。この弁体３には斜め上向きに筒状部３ａが突設されていて、この筒状部３ａに弁シャフト４の下部がスライド可能に嵌め入れられている。
また、この弁体３はスプリング６によって斜め下向き即ち弁座２に当接する向きに付勢されている。弁シャフト４の上部は、弁箱１の上側に一体的に設けたボンネット部１１を挿通しており、その上端にはバルブハンドル５が設けられている。
【００１６】
更に、弁箱１の流体入口側には横向きにソケット部１ａが突出されていて、このソケット部１ａの先端部分に第１排水弁７が設けられているとともに、流体出口側にもソケット部１ｂが突出されていて、このソケット部１ｂの先端部分に第２排水弁８が設けられている。これらの第１、第２排水弁は、上端に貫設された略Ｌ字型のハンドル部７ａ、８ａを回すことによって開閉されるように構成されている。また、図２に示すように、弁箱１の流体入口側の上部には、ニードル弁１２が設けられている。このニードル弁１２は、弁箱１の流体入口側の上部から細い水通路１ｃが形成され、弁体３の上部側の流体出口側に向けて水通路１ｄが形成されていて、ハンドル１３を回すことによって、シャフト１４が上下移動して水通路１ｃ、１ｄを開閉するようになっている。
【００１７】
したがって、この第１実施形態の逆止弁機能付き連結送水管バルブによれば、弁箱１の流体通路に、弁座２と弁体３を設けたことによって、送水される水の逆流を防ぐことができる。また、各部分が殆ど一体化されているので、部品点数が少なくて構造が簡単であり、コストダウンを図ることができる。更に、第１、第２の排水弁７、８を設けたことによって、流体入口側の排水を簡単に行うことができるとともに、流体出口側の排水も簡単に行うことができる。
【００１８】
また、弁体３２が弁シャフト４にスライド可能に挿着され、且つスプリング６によって弁座２側に向けて付勢されている。そのため、弁体３の作動が円滑になると共に開弁及び閉弁作用もより確実となる。また、バルブハンドル５を送水する都度回して弁シャフト４を上下させる必要がなく、弁シャフト４を常時開放位置に保持しておくことにより、常時は弁体３が開き、水が逆流した時には弁体３が弁座２に当接して水の逆流を防ぐので、操作を簡単化することができる。
【００１９】
図３は第２実施形態に係る逆止弁機能付き連結送水管用バルブの斜視図、図４はその四方弁の縦断面図、図５はそのバルブの縦断面図である。尚、上記した第１実施形態の場合と同一部材、同一部分には、同一符号を付してその説明を省略する。
【００２０】
この第２実施形態の逆止弁機能付き連結送水管用バルブは、図３に示すように、弁箱１の流体入口側から平面視略Ｌ字形の短管１５が突出されている。そして、これらの短管１６が突出され、これらの短管１５、１６は先端側で交差されて一体となっていて、この交差箇所１７に四方弁１８が設けられている。
【００２１】
この四方弁１８は、図４に示すように、下端側の弁体１９に、一方側のみへ水を流すための水通路１９ａが設けられ、上方に向けて延設された筒状部２０内を挿通する弁シャフト２１の上端のハンドル２２を回転させることによって、水通路１９ａが流体入口側から外部へ、又は流体出口側から外部側へと切り換えられるようになっている。
【００２２】
図５に示すのは、第２実施形態に係る逆止弁機能付き連結送水管用バルブの内部構造であって、この第２例では、弁箱１の流体入口側の下部と流体出口側の下部に下向きに突出して水通路２３、２４が形成されていて、これらの水通路２３、２４が各短管１５、１６に一体に連通されているものである。
【００２３】
この第２実施形態の逆止弁機能付き連結送水管用バルブによれば、四方弁１８を設けたことによって、排水弁を流体入口側と流体出口側に２箇所設ける必要がなく、一つの四方弁１８で、流体入口側の排水を簡単に行うことができるとともに、流体出口側の排水も簡単に行うことができる。
【００２４】
図６は逆止弁機能付き連結送水管バルブを収容ケース内に設置した状態の平面図、図７は図６の正面断面図である。
【００２５】
上記した各例の逆止弁機能付き連結送水管バルブは、図６、図７に示すように、上蓋２５が取りつけ取り外し可能に被せられる収容ケース２６内に収容されるもので、収容ケース２６の外側から内部に向けて設けられた送水元側の配管２７の先端のフランジ２８に弁箱１の送水元側のフランジ９が複数個のボルト２９とナット３０で連結され、送水先側の配管３１のフランジ３２に弁箱２の送水先側のフランジ１０が複数個のボルト２９とナット３０によって連結されるようになっている。
【００２６】
上記した各例の逆止弁機能付き連結送水管バルブは、部品点数が少なくて構造が簡単であるので、収容ケース２６内に簡単に収容することができ、更に各部のメンテナンスも容易に行うことができる。
【図面の簡単な説明】
【００２７】
【図１】第１実施形態の逆止弁機能付き連結送水管バルブを示す斜視図である。
【図２】図１に示すバルブ本体部分の縦断面図である。
【図３】第２実施形態の逆止弁機能付き連結送水管用バルブの斜視図である。
【図４】図３における四方弁の縦断面図である。
【図５】図３におけるバルブの縦断面図である。
【図６】逆止弁機能付き連結送水管バルブを収容ケース内に設置した状態の平面図である。
【図７】図６の正面断面図である。
【図８】従来の連結送水管設備を示す一部破談した平面図である。
【符号の説明】
【００２８】
１は弁箱、１ａはソケット部、１ｂはソケット部、１ｃは水通路、１ｄは水通路、２は弁座、３は弁体、３ａは上向き筒状部、４は弁シャフト、５はバルブハンドル、６はスプリング、７は第１排水弁、７ａはハンドル部、８は第２排水弁、８ａはハンドル部、９は流体入口側のフランジ、９ａは流体入口、１０は送水元側のフランジ、１０ａは流体出口、１１はシャフト用筒状部、１２はニードル弁、１３はハンドル、１４はシャフト、１５は平面視略Ｌ字形の短管、１６は短管、１７は交差箇所、１８は四方弁、１９は弁体、１９ａは水通路、２０は筒状部、２１は弁シャフト、２２はハンドル、２３は水通路、２４は水通路、２５は上蓋、２６は収容ケース、２７は送水元側の配管、２８はフランジ、２９はボルト、３０はナット、３１は送水先側の配管、３２はフランジ。
【図１】
2005147214.tif 000003
【図２】
2005147214.tif 000004
【図３】
2005147214.tif 000005
【図４】
2005147214.tif 000006
【図５】
2005147214.tif 000007
【図６】
2005147214.tif 000008
【図７】
2005147214.tif 000009
【図８】
2005147214.tif 000010
【手続補正書】
【提出日】平成16年9月2日(2004.9.2)
【手続補正１】
【補正対象書類名】明細書
【補正対象項目名】全文
【補正方法】変更
【補正の内容】
【発明の詳細な説明】
【技術分野】
【０００１】
本発明は、逆止弁と制水弁とを一体化した逆止弁機能付き連結送水管用バルブに関するものである。
【背景技術】
【０００２】
図８は従来の連結送水管の制水機構部を示すものであり、当該制水機構部は、送水用配管系の所定箇所に介設される弁ユニット機構部１０１と、この弁ユニット機構部１０１の収容ケース１０２とを備えている。また、前記弁ユニット機構部１０１は、送水元側への水の逆流を阻止する逆止弁ユニット１０９と、両端部に連結用フランジを有する送水短管の側部に排水弁１２１が設けられ、逆止弁ユニット１０９の送水元側に配置された排水弁ユニット１１０と、両端部に連結用フランジを有する送水短管の一側部に排水部１２９が設けられ、逆止弁ユニット１０９の送水先側に配置された排水ユニット１１１とを備えている。更に、前記排水弁ユニット１１０と排水ユニット１１１とはそれらの間に逆止弁ユニット１０９を介在させ、各々のフランジの連結部材を介して連結されている。尚、前記ケース本体の両側面には、弁ユニット機構部１０１の配管の挿通部が形成されており、また、ケース本体の上端開口部は蓋体１０３により開閉自在に施蓋されている。（例えば、特許文献１参照）。
ところが、図８に示した構成の制水機構部においては、部品点数が多くて構造が複雑でコスト高となり、また、収容ケース内に各部品を収容するのに手間がかかるという問題があった。
【０００３】
【特許文献１】特許第３００７０４５号公報
【発明の開示】
【発明が解決しようとする課題】
【０００４】
本発明は、上記した従来の問題に鑑みてなされたものであり、送水元側からの送水は送水先側へ送水されるが、送水先側からの水の逆流は完全に防ぐことができ、しかも、部品点数が少なくて構造が簡単であり、コストダウンを図ることができるようにした逆止弁機能付き連結送水管用バルブを提供することを目的としている。
【課題を解決するための手段】
【０００５】
本発明は、上記課題を解決するために提案されたものであって、請求項１に記載の発明は、流体入口側と流体出口側を備えた弁箱と、この弁箱内の流体通路に設けられた弁座と、この弁座に当、離座可能に設けられた弁体と、この弁体を前記弁座側に向けて付勢するスプリングと、前記弁体を弁座に対して押圧するための弁シャフトと、この弁シャフトの上端に設けられて弁シャフトを上下移動するためのバルブハンドルとを備えたものである。
即ち、バルブハンドルを常時開放しておくと、流体入口側からの水圧によって、スプリングの付勢力に抗して弁体が開き、弁箱の流体出口側へ送水されるが、流体出口側からの水の逆流は、その水圧によって、弁体がスプリングの付勢力ともあいまって弁座へ当座することにより、防止される。
【０００６】
請求項２に記載の発明は、前記弁箱には、その流体入口側に第１排水弁が設けられ、その流体出口側に第２排水弁が設けられているものである。
即ち、流体入口側の水を排水するときには、第１排水弁を開状態にすることによって排水でき、流体出口側の水を排水するときには、第２排水弁を開状態にすることによって排水することができる。
【０００７】
請求項３に記載の発明は、前記弁箱の流体入口側と流体出口側との間に四方弁が設けられているものである。
即ち、流体入口側又は流体出口側の水を排水するときには、四方弁によっていずれの側の水でも排水することができ、かつ流体入口側と流体出口側を同圧にするバイパス弁の機能も備える。
【０００８】
請求項４に記載の発明は、前記弁体が、前記弁シャフトに対してスライド可能に設けられているものである。
即ち、弁体が弁シャフトにスライド可能に設けられているので、バルブハンドルを常時開放していても、流体入口側から流体出口側への水は、弁体が弁座に対して開くので送水でき、流体出口側からの水の逆流は、弁体が弁座に接して閉状態となることによって、防止されることになる。
【発明の効果】
【０００９】
請求項１に記載の発明によれば、送水と水の逆流防止と水の制水とを一つのバルブによって行える。また、各部分が殆ど一体化されているので、部品点数が少なくて構造が簡単となり、コストダウンを図ることができる。更に、弁シャフトを常時開放しておくだけで、送水時には弁体が開き、水が逆流した時には弁体が弁座に当接して水の逆流を防ぐので、操作を簡単化することができる。
【００１０】
請求項２に記載の発明によれば、第１、第２の排水弁を設けたことによって、流体入口側の排水を簡単に行うことができるとともに、流体出口側の排水も簡単に行うことができる。
【００１１】
請求項３に記載の発明によれば、四方弁を設けたことによって、排水弁を流体入口側と流体出口側の２箇所に設ける必要がなく、一つの四方弁で、流体入口側の排水を簡単に行うことができるとともに、流体出口側の排水も簡単に行うことができ、かつ流体入口側と流体出口側を同圧にするバイパス弁の機能も備える。
【００１２】
請求項４に記載の発明によれば、弁体が弁シャフトにガイドされてスライドするため、弁体の作動が極めて円滑となる。
【発明を実施するための最良の形態】
【００１３】
以下、本発明に係る逆止弁機能付き連結送水管バルブの実施の形態について、図を参照しつつ説明する。
図１は第１実施形態に係る逆止弁機能付き連結送水管バルブを示す斜視図、図２はその本体部分の縦断面図である。
【００１４】
図１、図２において、１は弁箱、２は弁座、３は弁体、４は弁シャフト、５はバルブハンドル、６はスプリング、７は流体入口側の第１排水弁、８は流体出口側の第２排水弁、９は流体入口側のフランジ、１０は流体出口側のフランジ、９ａは流体入口、１０ａは流体出口である。
【００１５】
弁箱１はほぼ管状の形状をなしており、その両端にはフランジ９、１０が一体に設けられている。この弁箱１の流体通路の中途には、斜め向きに弁座２が形成され、この弁座２には弁体３が当、離可能に配設されている。この弁体３には斜め上向きに筒状部３ａが突設されていて、この筒状部３ａに弁シャフト４の下部がスライド可能に嵌め入れられている。
また、この弁体３はスプリング６によって斜め下向き即ち弁座２に当接する向きに付勢されている。弁シャフト４の上部は、弁箱１の上側に一体的に設けたボンネット部１１を挿通しており、その上端にはバルブハンドル５が設けられている。
【００１６】
更に、弁箱１の流体入口側には横向きにソケット部１ａが突出されていて、このソケット部１ａの先端部分に第１排水弁７が設けられているとともに、流体出口側にもソケット部１ｂが突出されていて、このソケット部１ｂの先端部分に第２排水弁８が設けられている。これらの第１、第２排水弁は、上端に貫設された略Ｌ字型のハンドル部７ａ、８ａを回すことによって開閉されるように構成されている。また、図２に示すように、弁箱１の流体入口側の上部には、流体入口側と流体出口側を同圧にするバイパス弁としてのニードル弁１２が設けられている。このニードル弁１２は、弁箱１の流体入口側の上部から細い水通路１ｃが形成され、弁体３の上部側の流体出口側に向けて水通路１ｄが形成されていて、ハンドル１３を回すことによって、シャフト１４が上下移動して水通路１ｃ、１ｄを開閉するようになっている。
【００１７】
したがって、この第１実施形態の逆止弁機能付き連結送水管バルブによれば、弁箱１の流体通路に、弁座２と弁体３を設けたことによって、送水される水の逆流を防ぐことができる。また、各部分が殆ど一体化されているので、部品点数が少なくて構造が簡単であり、コストダウンを図ることができる。更に、第１、第２の排水弁７、８を設けたことによって、流体入口側の排水を簡単に行うことができるとともに、流体出口側の排水も簡単に行うことができる。
【００１８】
また、弁体３が弁シャフト４にスライド可能に挿着され、且つスプリング６によって弁座２側に向けて付勢されている。そのため、弁体３の作動が円滑になると共に開弁及び閉弁作用もより確実となる。また、バルブハンドル５を送水する都度回して弁シャフト４を上下させる必要がなく、弁シャフト４を常時開放位置に保持しておくことにより、常時は弁体３が開き、水が逆流した時には弁体３が弁座２に当接して水の逆流を防ぐので、操作を簡単化することができる。
【００１９】
図３は第２実施形態に係る逆止弁機能付き連結送水管用バルブの斜視図、図４はその四方弁の縦断面図、図５はそのバルブの縦断面図である。尚、上記した第１実施形態の場合と同一部材、同一部分には、同一符号を付してその説明を省略する。
【００２０】
この第２実施形態の逆止弁機能付き連結送水管用バルブは、図３に示すように、弁箱１の流体入口側から平面視略Ｌ字形の短管１５が突出されている。そして、これらの短管１６が突出され、これらの短管１５、１６は先端側で交差されて一体となっていて、この交差箇所１７に四方弁１８が設けられている。
【００２１】
この四方弁１８は、図４に示すように、下端側の弁体１９に、一方側のみへ水を流すための水通路１９ａが設けられ、上方に向けて延設された筒状部２０内を挿通する弁シャフト２１の上端のハンドル２２を回転させることによって、水通路１９ａが流体入口側から外部へ、又は流体出口側から外部側へと切り換えられるようになっている。
【００２２】
図５に示すのは、第２実施形態に係る逆止弁機能付き連結送水管用バルブの内部構造であって、この第２例では、弁箱１の流体入口側の下部と流体出口側の下部に下向きに突出して水通路２３、２４が形成されていて、これらの水通路２３、２４が各短管１５、１６に一体に連通されているものである。
【００２３】
この第２実施形態の逆止弁機能付き連結送水管用バルブによれば、四方弁１８を設けたことによって、排水弁を流体入口側と流体出口側に２箇所設ける必要がなく、一つの四方弁１８で、流体入口側の排水を簡単に行うことができるとともに、流体出口側の排水も簡単に行うことができ、かつ流体入口側と流体出口側を同圧にするバイパス弁の機能も備える。
【００２４】
図６は逆止弁機能付き連結送水管バルブを収容ケース内に設置した状態の平面図、図７は図６の正面断面図である。
【００２５】
上記した各例の逆止弁機能付き連結送水管バルブは、図６、図７に示すように、上蓋２５が取りつけ取り外し可能に被せられる収容ケース２６内に収容されるもので、収容ケース２６の外側から内部に向けて設けられた送水元側の配管２７の先端のフランジ２８に弁箱１の送水元側のフランジ９が複数個のボルト２９とナット３０で連結され、送水先側の配管３１のフランジ３２に弁箱２の送水先側のフランジ１０が複数個のボルト２９とナット３０によって連結されるようになっている。
【００２６】
上記した各例の逆止弁機能付き連結送水管バルブは、部品点数が少なくて構造が簡単であるので、収容ケース２６内に簡単に収容することができ、更に各部のメンテナンスも容易に行うことができる。
【図面の簡単な説明】
【００２７】
【図１】第１実施形態の逆止弁機能付き連結送水管バルブを示す斜視図である。
【図２】図１に示すバルブ本体部分の縦断面図である。
【図３】第２実施形態の逆止弁機能付き連結送水管用バルブの斜視図である。
【図４】図３における四方弁の縦断面図である。
【図５】図３におけるバルブの縦断面図である。
【図６】逆止弁機能付き連結送水管バルブを収容ケース内に設置した状態の平面図である。
【図７】図６の正面断面図である。
【図８】従来の連結送水管設備を示す一部破談した平面図である。
【符号の説明】
【００２８】
１は弁箱、１ａはソケット部、１ｂはソケット部、１ｃは水通路、１ｄは水通路、２は弁座、３は弁体、３ａは上向き筒状部、４は弁シャフト、５はバルブハンドル、６はスプリング、７は第１排水弁、７ａはハンドル部、８は第２排水弁、８ａはハンドル部、９は流体入口側のフランジ、９ａは流体入口、１０は送水元側のフランジ、１０ａは流体出口、１１はシャフト用筒状部、１２はニードル弁、１３はハンドル、１４はシャフト、１５は平面視略Ｌ字形の短管、１６は短管、１７は交差箇所、１８は四方弁、１９は弁体、１９ａは水通路、２０は筒状部、２１は弁シャフト、２２はハンドル、２３は水通路、２４は水通路、２５は上蓋、２６は収容ケース、２７は送水元側の配管、２８はフランジ、２９はボルト、３０はナット、３１は送水先側の配管、３２はフランジ。